(57)【特許請求の範囲】
【請求項１】
支持体の片面に粘着剤層を備えた粘着シート層と前記粘着剤層に再貼付可能に貼り合わせられた台紙層とからなる鑑識用粘着シート本体と、前記粘着シート層と前記台紙層とを貼り合わせた状態で両者を貼着固定する剥離判別用粘着テープとを備えた鑑識用粘着シートであって、
剥離判別用粘着テープが、鑑識用粘着シート本体の周縁のいずれか１箇所において、台紙層と粘着シート層とを挟み込むように山折りされて貼着されていることを特徴とする鑑識用粘着シート。
【請求項２】
剥離判別用粘着テープは、支持体の片面に、当該支持体の全面若しくは部分的に形成された皮膜層及び当該皮膜層を覆う粘着剤層が備えられ、前記剥離判別用粘着テープを鑑識用粘着シート本体から剥離した場合に、前記皮膜層及び／又は粘着剤層が剥離判別用粘着テープの支持体から剥離されることを特徴とする請求項１記載の鑑識用粘着シート。
【請求項３】
前記皮膜層は、前記支持体の全面若しくは部分的に形成された剥離剤層及び当該剥離剤層上に形成された印刷層からなり、少なくとも当該印刷層が剥離判別用粘着テープの支持体から剥離されることを特徴とする請求項２記載の鑑識用粘着シート。
【発明の詳細な説明】
【０００１】
【発明の属する技術分野】
本発明は鑑識用粘着シートに関する。具体的には、指紋や足跡、タイヤ跡等の採取に使用する鑑識用粘着シートに関する。
【０００２】
【従来の技術】
指紋・足跡採取用の粘着シートとして、例えば透明支持フィルムの片面にウレタン系粘着剤を塗布したものが特開２００１−４０２９９号公報に開示されている。
【０００３】
この粘着シートを用いて指紋を採取するためには、まず、採取対象面に粉末を刷毛などで少しずつ塗布し、穂先で軽く払うようにして指紋隆線の部分だけに粉末を付着させて指紋を浮き上がらせる。次いで、粘着シートの一端から剥離紙を兼ねた台紙を剥離して粘着面を採取対象面に当接し、さらに台紙を剥離しながら浮き上がらせた指紋を粘着面に完全に転写させ、その後台紙を再び粘着面に貼り合わせる。そして、台紙に採取時、採取場所等の必要事項を記入して、指紋採取を完了する。
【０００４】
しかしながら、台紙は粘着シートから容易に剥離、再貼付できるものであり、保管時に粘着シートあるいは台紙を意図的に貼り変えることができる。また、台紙が粘着シートから自然に剥離し、粘着シートと台紙とが入り乱れる可能性もあった。
【０００５】
この際、ステープラなどで台紙と粘着シートとを固定してもよいが、この場合にもステープラ針の針穴を合わせて、粘着シート若しくは台紙をすり変えることができる。また、台紙と粘着シートを貼り合わせた状態で他の固定用テープにより両者を固定した場合には、低速で固定用シートを剥離したり、ドライヤー等の熱源を用いて粘着剤を軟化させ剥離することにより、台紙の表面を傷つけることなく、しかも剥離した粘着シートを再貼付可能な状態で剥離することができるため、台紙と粘着シートとが同一に使用されたものであることの証明が困難な場合もあった。
【０００６】
【発明が解決しようとする課題】
本発明は上記従来技術の問題点に鑑みてなされたものであって、指紋・足跡等を採取した後に、再度台紙が剥離され貼り変えられたことを直ちに判別可能にすることにより、鑑識用粘着シートの証拠能力を高めることを目的とするものである。
【０００７】
本発明に係る鑑識用粘着シートは、支持体の片面に粘着剤層を備えた粘着シート層と前記粘着剤層に再貼付可能に貼り合わせられた台紙層とからなる鑑識用粘着シート本体と、前記粘着シート層と前記台紙層とを貼り合わせた状態で両者を貼着固定する剥離判別用粘着テープとを備えた鑑識用粘着シートであって、剥離判別用粘着テープが、鑑識用粘着シート本体の周縁のいずれか１箇所において、台紙層と粘着シート層とを挟み込むように山折りされて貼着されていることを特徴としている。
【０００８】
このとき、剥離判別用粘着テープとして、支持体の片面に、当該支持体の全面若しくは部分的に形成された皮膜層及び当該皮膜層を覆う粘着剤層が備えられたものを用いて、前記剥離判別用粘着テープを鑑識用粘着シート本体から剥離した場合に、前記皮膜層及び／又は粘着剤層が剥離判別用粘着テープの支持体から剥離されるようにするのがよい。
【０００９】
また、前記皮膜層として、前記支持体の全面若しくは部分的に形成された剥離剤層及び当該剥離剤層上に形成された印刷層からなるものを用い、少なくとも当該印刷層が剥離判別用粘着テープの支持体から剥離されるようにすることができる。
【００１０】
【発明の実施の形態】
図１は本発明の一実施形態に係る鑑識用粘着シートを示す概略構成図であって、同図（ａ）はその側面図、同図（ｂ）はその平面図、図２は当該鑑識用粘着シートに用いられる剥離判別用粘着テープを示す構成図である。以下、各図を用いて本発明について詳細に説明する。
【００１１】
本発明に係る鑑識用粘着シートは、指紋や足跡、タイヤ跡などを採取するための鑑識用粘着シート本体１と、当該鑑識用粘着シート本体１を構成する粘着シート層１０と台紙層１１とを貼り合わせた状態で両者を貼着固定する剥離判別用粘着テープ２とを備えている。粘着シート層１０は、例えば透明な支持フィルム１２のいずれか一方の面に、感圧性の粘着剤層１３が形成されており、採取対象面から浮き上がらせた指紋などを転写させるものである。台紙層１１は粘着シート層１０に再貼付可能に貼り合わせられ、表面に事件番号記入欄や採取日時の記入欄、立会人氏名記入欄等を印刷した表紙層１４と当該表紙層１４の裏面に貼り合わせられた離型性の黒色又は白色のプラスチックフィルム１５とから構成される。この台紙層１１は、プラスチックフィルム１５が粘着シート層１０の粘着剤層１３に貼着される。
【００１２】
この鑑識用粘着シート本体１は、特開２００１−４０２９９号公報に記載された鑑識用粘着シートや特開平３−８０８３３号公報に記載された鑑識用粘着シートの如く、粘着シート層１０と、当該粘着シート層１０を構成する粘着剤層（指紋転写面）１３に剥離、再貼付可能に備えられた台紙層１１とを備えたものであればよい。すなわち、指紋や足跡などの採取、保存用のための粘着シート層１０に用いられるものであれば、粘着剤や支持フィルム１２の材質はいかなるものでもよく、また上記目的を達成できるものであればプラスチックフィルム１５、表紙層１４等の材質もいかなるものでもよい。具体的には前記公報に開示されたものが使用される。
【００１３】
次に、剥離判別用粘着テープ２は、上記鑑識用粘着シート本体１の異常、言い換えると、指紋採取後に台紙層１１若しくは粘着シート層１０が意図的にあるいは偶然に貼り変えられたか否かを容易に判断可能にするためのものであり、鑑識用粘着シート本体１の表面側から裏面側に掛けて貼着される。具体的には、一定長さにカットされた剥離判別用粘着テープ２が鑑識用粘着シート本体１の周縁に沿って山折りされて貼着され、台紙層１１と粘着テープ層１０とを挟み込むようにして粘着テープ層１０の支持フィルム１２と台紙層１１のプラスチックフィルム１５とを固定する。この剥離判別用粘着テープ２は、一般には図１（ｂ）に示す如くテープ２の長手方向を鑑識用粘着シート本体１の周縁に沿わせて貼着され、その周縁のいずれか１箇所において貼着される。こうすることにより、貼着側と反対側から台紙層１１を剥離でき、台紙層１１と粘着シート層１０とがバラバラになることなく指紋等を採取できる。
【００１４】
当該剥離判別用粘着テープ２としては、一旦被着体に貼付された粘着テープが当該被着体から剥離されたことの有無を、粘着テープの各種形態変化により目視で確認できる機能を有するものであれば特に限定することなく使用することができる。このような剥離判別用粘着テープ２としては、例えば日東電工株式会社から販売されている「ロブセンサーテープ（日東電工株式会社の登録商標）」を使用することができる。
【００１５】
このような剥離判別用粘着テープ２の具体的構成としては、例えば、テープ状若しくはシート状をした支持体２０の片面に、その全面若しくは部分的に形成された皮膜層２１及び当該皮膜層２１を覆う粘着剤層２２を備え、被着体から剥がしたときに前記皮膜層２１が支持体２０から剥離されるよう、皮膜層２１と支持体２０との間の接着力が粘着剤層２２と被着体との間の接着力よりも小さくしたものが挙げられる。
【００１６】
図２に示す例では、皮膜層２１は、支持体２０の片面全面に備えられた剥離剤層２１ａと当該剥離剤層２１ａ上の部分的に、例えば縞状、斑点状、格子状などに形成された印刷層２１ｂとから構成されており、当該皮膜層２１を覆うようにして接着剤層２２が備えられている。
【００１７】
剥離剤層２１ａは、例えば支持体２０に対しては良好に接着するが、印刷層２１ｂとの間の接着力はそれよりも小さくなるように調整される。また、印刷層２１ｂと剥離剤層２１ａとの間の接着力は、前記粘着シート層１０を構成する支持フィルム１２と当該粘着剤層２２間の接着力及び前記台紙層１１と当該粘着剤層２２間の接着力よりも小さくなるように調整される。この結果、剥離判別用粘着テープ２を台紙層１１（若しくは粘着シート層１０）から剥離した場合には、剥離判別用粘着テープ２の印刷層２１ｂが、剥離剤層２１ａ（支持体２０）から剥がれ、剥離した台紙層１１（若しくは粘着シート層１０）に残り、剥がされた後の剥離判別用粘着テープ２から印刷層２１ｂが抜け落ちると共に粘着剤層２２が支持体２０から剥離され、その接着力は低下する。すなわち、この例では、剥離剤層２１ａは印刷層２１ｂと支持体２０との間の接着力を調整するものであって、印刷層２１ｂのみが皮膜層２１として剥離されることになる。
【００１８】
また、剥離判別用粘着テープ２は、皮膜層２１が支持体２０と共に粘着剤層２２から剥がれ、粘着剤層２２が支持体２０から剥離されて被着体（台紙層１１若しくは粘着シート層１０）に残る構造のものでもよい。例えば、剥離剤層２１ａからなる皮膜層２１を、支持体２０の全面若しくは部分的に形成し、当該皮膜層２１を覆うように粘着剤層２２を設けてもよい。この場合、皮膜層２１と支持体２０との間の接着力は、粘着剤層２２と被着体との間の接着力よりも大きくなり粘着剤層２２が被着体に残る。また、粘着剤層２２の一部が支持体２０と共に被着体から剥がれて差し支えないものである。
【００１９】
剥離判別用粘着テープ２は、このように被着体からの剥離を皮膜層２１及び／又は粘着剤層２２が支持体２０から剥離されることにより判別できればその構成は問われるものではなく、図２に示す構造の場合、剥離剤層２１ａは、印刷層２１ｂに対しては良好に接着するが、支持体２０との間の接着力はそれよりも小さくなるように調整してもよい。この場合、印刷層２１ｂ及び剥離剤層２１ａが一体として皮膜層２１となり、印刷層２１ｂが剥離剤層２１ａと共に支持体２０から剥がれる。
【００２０】
また、印刷層２１ｂを剥離剤層２１ａ上に部分的に構成するのみならず、印刷層２１ｂをその全面に構成したり、あるいはその一部が該剥離剤層２１ａ上に載置するように構成してもよく、さらには、印刷層２１ｂを直接支持体２０の全面若しくは部分的に構成することもできる。このように、印刷層２１ｂや剥離剤層２１ａからなる皮膜層２１が剥離される構造であればよいものである。また、皮膜層２１には、インクや塗料などによる印刷層２１ａのみならず、その他樹脂層などを用いることができ、好ましくは目視確認できる材料を用いるのが好ましい。
【００２１】
このような剥離判別用粘着テープ２として、例えば、実公昭５２−３８６１２号公報、実公昭５４−８１２０号公報、実公昭５６−１８５８１号公報などに記載されたものが使用できる。実公昭５２−３８６１２号公報に記載されたものでは、前記皮膜層２１は、エチレン−酢酸ビニル共重合体、樹脂類などのシート状物や塗料、インキなどからなり、支持体２０の全面に形成されている。また、実公昭５４−８１２０号や実公昭５６−１８５８１号に記載されたものでは、支持体２０の一面に部分的に、オクタルデシルアクレートとアクリル酸との共重合物、ビニルステアレートと無水マレイン酸との共重合物、エチレン−酢酸ビニル共重合体樹脂などからなる薄膜層が形成され、当該薄膜層面にその一部が載置された部分印刷層が設けられ、皮膜層２１が構成されている。
【００２２】
この結果、剥離判別用粘着テープ２を台紙層１１（若しくは粘着シート層１０）から剥離した場合には、剥離判別用粘着テープ２の皮膜層２１及び／又は粘着剤層２２が剥離した台紙層１１（若しくは粘着シート層１０）に残り、剥がされた後の剥離判別用粘着テープ２から皮膜層２１及び／又は粘着剤層２２が抜け落ちると共にその接着力が低下する。従って、別な台紙層１１（若しくは粘着シート層１０）を再貼付したとしても、同じ剥離判別用粘着テープ２では再固定することが困難なものになる。また、剥離判別用粘着テープ２を剥がした台紙層１１（若しくは粘着シート層１０）には皮膜層２１及び／又は粘着剤層２２が残るために、これを別の粘着シート層１０（若しくは台紙層１１）に再貼付したとしても皮膜層２１及び／又は粘着剤層２２による痕跡が残るため、台紙層１１の貼りかえがあったことを直ちに認識できる。
【００２３】
このように本発明の鑑識用粘着シートにおいては、台紙層１１若しくは粘着シート層１０を貼り変えようとした場合には、剥離判別用粘着テープ２を剥がさなければならず、剥離判別用粘着テープ２を剥がせば確実にそのことが立証され、証拠品としての能力が向上する。また、剥離判別用粘着テープ２によって台紙層１１と粘着シート層１０が貼着固定されているので、両者がバラバラにならず、保管時の剥がれ防止にも貢献できる。特に、皮膜層２１に印刷層２１ｂを用いることにより、視覚性が向上され、一瞬のうちに判別することができる。
【００２４】
【実施例】
次に下記実施例に基づいて、本発明についてさらに説明する。もちろん、本発明は次の実施例に限定されるものでないのは言うまでもない。
【００２５】
▲１▼鑑識用粘着シート本体の作製
ポリオールとしてプロピレングリコールを使用し、架橋剤としてＨＤＩ（ヘキサメチレンジイソシアネート）を使用したポリエーテルポリウレタン粘着剤の８５重量％トルエン溶液に、架橋剤を９.５重量％を添加したウレタン系粘着剤溶液を、ポリエチレンテレフタレートフィルム上に塗布し、１４０℃×５分の条件で硬化させて厚み１００μｍの熱硬化型ウレタン系粘着剤層を形成した粘着シート層を得た。この粘着シート層の粘着剤層面に、臨界表面張力３５dyne/cm、厚み５０μｍの黒色プロピレンフィルム（大きさ１５０ｍｍ×１５０ｍｍ）に上質紙を積層した台紙層を貼着して鑑識用粘着シート本体を作製した。
【００２６】
▲２▼剥離判別用粘着テープの作製
厚さ３８μｍのポリエチレンテレフタレートフィルム（２０ｍｍ幅）に長鎖アルキル系剥離剤（商品名「ピーロイル  １０１０」  一方社油脂工業株式会社製）をトルエンで希釈したものを塗布、乾燥してフィルム全面に剥離剤層を形成し、その上に斑点状の印刷層を形成した。次に、当該印刷層を覆うようにして、フィルム全面にゴム系粘着剤（クインタック３４３３（日本ゼオン社製）５０重量％、クイントン  Ｎ−２９５（日本ゼオン社製）３５重量％、ＹＳレジンＴＯ−Ｌ（ヤスハラケミカル社製）１５重量％からなる）を、厚さ３０μｍになるように塗布し、剥離判別用粘着テープを作製した。
【００２７】
次いで剥離判別用粘着テープを鑑識用粘着シート本体の周縁に対して長手方向にし、図１に示す如く鑑識用粘着シート本体の表裏に掛けて貼着し、実施例である鑑識用粘着テープを得た。
【００２８】
この鑑識用粘着テープについて、剥離判別用粘着テープを剥がす開封試験を行なったところ、印刷層が粘着剤層と共に鑑識用粘着シートに残り、初期の目的を達成できた。一方、比較例として剥離剤層を形成せずに剥離判別用粘着テープを作製して同様の試験を行なったところ、印刷層が鑑識用粘着シートに残らず、初期の目的を達成できなかった。
【００２９】
また、参考までに、ステンレス板に２ｋｇ重のローラにて２０ｍｍ幅に切断した剥離判別用粘着テープを１往復して圧着し、３０分放置後に１８０度方向に３００ｍｍ／ｍｉｎの引張速度で粘着力を測定したところ、実施例の剥離判別用粘着テープでは０.５Ｎ／２０ｍｍ（印刷層及び粘着剤層がステンレス板に残った。）であり、比較例では２０Ｎ／２０ｍｍであった。
【００３０】
【発明の効果】
本発明によれば、指紋等を採取する粘着シート層と粘着シート層に再貼付可能に貼り合わせられた台紙層とが貼り合わせられた状態で剥離判別用粘着テープによって貼着固定されており、剥離判別用粘着テープを剥がした場合には、剥離判別用粘着テープを構成する皮膜層、例えば印刷層が粘着剤層と共に粘着シート層又は台紙層に残ることになる。従って、剥離判別用粘着テープが鑑識用粘着シート本体から剥がされたことを確実に知られ、粘着シート層又は台紙層が貼り変えられたことが一目瞭然に理解される。こうして、証拠品としての能力が高められることになる。また、保管時の剥離を回避すると共に採取時に粘着シート層と台紙層とがバラバラになることも防止できる。
【図面の簡単な説明】
【図１】本発明の一実施形態に係る鑑識用粘着シートを示す概略構成図であって、同図（ａ）はその側面図、同図（ｂ）はその平面図である。
【図２】図１に示す鑑識用粘着シートに用いられる剥離判別用粘着テープを示す構成図である。
【符号の説明】
１  鑑識用粘着シート本体
２  剥離判別用粘着テープ
１０  粘着シート層
１１  台紙層
１２  支持フィルム
１３  粘着剤層
１５  プラスチックフィルム
２０  支持体
２１  皮膜層
２１ａ  剥離剤層
２１ｂ  印刷層
２２    粘着剤層
【図１】
0004707901.tif 000002
【図２】
0004707901.tif 000003